(57)【要約】  【課題】  本発明は、通気性や透湿性に優れ、汗の吸収が極めて良好でベタツキ等の不快感を抑え、さらっとして使用感を向上させてなる機能性布地及びこの機能性布地から形成されてなる足拭きマット、衣料、寝装品並びにインテリア繊維製品を提供することを目的とする。  【解決手段】  複数の帯状の布基材２における長さ方向の縁部を縫着して連結することにより布状に形成されてなる機能性布地１である。一の帯状の布基材２における縁部２ａと他の帯状の布基材２における縁部２ａとが対峙するように重ね、この重ね合わせた縁部２ａ、２ａに帯状の被覆布３を被せてこれらを縫着することにより前記布地表面に所定間隔で突出部４が形成されている。  【選択図】  図８
2005068612.tif 000002
【特許請求の範囲】
【請求項１】
複数の帯状の布基材における長さ方向の縁部を縫着して連結することにより布状に形成されてなる布地であって、一の帯状の布基材における縁部と他の帯状の布基材における縁部とが対峙するように重ね、この重ね合わせた縁部に帯状の被覆布を被せてこれらを縫着することにより前記布地表面に所定間隔で突出部が形成されていることを特徴とする機能性布地。
【請求項２】
帯状の布基材の幅が１０〜６０ｍｍである請求項１に記載の機能性布地。
【請求項３】
突出部の長さが３〜２５ｍｍである請求項１又は２に記載の機能性布地。
【請求項４】
請求項１ないし３のいずれか１項に記載の機能性布地において、互いに隣接する突出部と突出部との間隔が、各突出部の長さより、１〜３０ｍｍ長く形成されている機能性布地。
【請求項５】
請求項１ないし４のいずれか１項に記載の機能性布地においてその突出部内には、マンガニン線又はニクロム線などの電熱線又は炭素繊維を装着したり、或いは機能性付与剤が充填されている機能性布地。
【請求項６】
請求項１ないし５のいずれか１項に記載の機能性布地を素材として形成されてなることを特徴とする足拭きマット。
【請求項７】
請求項１ないし５のいずれか１項に記載の機能性布地を素材として形成されてなることを特徴とする日用品。
【請求項８】
日用品が、衣料、服飾用品、スリッパ又は靴などの履物である請求項７に記載の日用品。
【請求項９】
請求項１ないし５のいずれか１項に記載の機能性布地を素材として形成されてなることを特徴とする寝装品。
【請求項１０】
寝装品が、布団側地、座布団、御包、マット、タオルケット、シーツ又はカバー類である請求項９に記載の寝装品。
【請求項１１】
請求項１ないし５のいずれか１項に記載の機能性布地を素材として形成されてなることを特徴とするインテリア繊維製品。
【発明の詳細な説明】
【技術分野】
【０００１】
本発明は通気性や透湿性に優れ、汗の吸収が極めて良好でベタツキ等の不快感を抑え、さらっとして使用感を向上させてなる機能性布地及びこれを用いた足拭きマット、日用品、寝装品並びにインテリア繊維製品に関する。
【背景技術】
【０００２】
旅館や銭湯等の大衆浴場の出入口、或いは浴室の脱衣場やトイレ、台所等の床面などの一般家庭内における水を扱う場所には、例えばジュート製のマットや、吸湿性に富む綿繊維或いはセルロース系繊維などを束ねて形成されたパイルを多数シート状に敷き詰めたものが、いわゆる「足拭きマット」として利用されている。
【０００３】
しかしながら、従来の足拭きマットは、継続使用するにつれて全体が湿気を帯びていき、次の人の使用時に水分が上面に滲出し、時間の経過とともに使用者に不快なベトツキ感を与えるようになり、このため場合によっては頻繁な足拭きマットの交換を必要とする問題があった。
【０００４】
又、従来の足拭きマットは、一般的に保水力が小さく、踏んだときのクッション性も悪く、使用感が悪いものであった。
【０００５】
更に、吸水性を確保するために、織り組織を全面に亘って密にしたものが多く、いったん湿潤した足拭きマットが比較的乾き難くなるという欠点もあった。
【０００６】
このため、最近では、このような問題を解決し、継続使用に際しても使用者に不快なベタツキ感を与えることなく、長期間清潔な状態を保つことが可能な足拭きマットが種々研究・開発されている（例えば、特許文献１〜３）。
【０００７】
【特許文献１】特開平８−２８０５６１号公報
【特許文献２】特開２００２−２０９７０９号公報
【特許文献３】特開２００３−１００３１号公報
【発明の開示】
【発明が解決しようとする課題】
【０００８】
特許文献１に記載の足拭きマットは、コイヤー繊維製の複数の経糸を並列配置してなる経糸組と、コイヤー繊維製の複数の緯糸を並列配置してなる緯糸組とを積重するとともに、経糸と緯糸とをそれぞれの交差部で結束糸により結束したことを特徴とするものであり、即ち、経糸組と緯糸組とを積重した厚みのある構造で、かつ、経糸と緯糸とを交差部で結束した立体構造を採用しているので、保水力およびクッション性の向上化を図ることができるのであり、また、結束糸での結束により交差部およびその近傍では密に、それ以外の部位では粗の構造となるので、通気性がよく、更に、結束糸の頂部がマット上面に突出した状態となるので、結束糸の頂部が足裏のツボを刺激し、これによって健康の促進を図ることができるものである。
【０００９】
しかしながら、この特許文献１に記載の発明は、コイヤー繊維のような比較的丈夫な繊維を使用することを前提としており、他の繊維に応用することができないため商品のバリエーションが少なく、しかも大型のマットとなるため、大衆浴場やプール等以外の場所、例えば一般家庭等で使用するには不向きである。
【００１０】
一方、特許文献２に記載の足拭きマットは、立体メッシュシートと、該立体メッシュシートの上面側に備わる透水シートと、この透水シートと前記立体メッシュシートとの間に介在される吸水部材とが、一体的な積層構造をなしていることを特徴とするものであり、又、特許文献３に記載の足拭きマットは、使用者の足を載せる部分が立体メッシュ構造をなすシートに形成してあることを特徴とするものである。
【００１１】
前記の特許文献２及び特許文献３に記載の足拭きマットはいずれも、立体メッシュ構造をなすシート内の空隙により通気性が保たれるので、足拭きマットが優れた速乾性を発揮し、これにより、使用者が常に快適な使用感を得られるものであるが、メッシュシートや吸水部材等を積層してなる積層構造であるため、材料点数が多く、製造工程も複雑となるため最終的な商品コストが高くなるばかりか、使用を終えた後の廃棄処分が困難になるといった欠点がある。
【００１２】
本発明者は、このような問題を解決すべく鋭意・検討を重ねた結果、本発明に係る機能性布地を開発するに至ったものである。
【００１３】
即ち、本発明者は、複数の帯状の布基材を特定の縫着手段を用いて連結し、この縫着箇所を突出部に形成することにより、布地表面に凹凸を形成し得るとの知見を得たのである。
【００１４】
そして、本発明者は、この凹凸が当該布地に通気性を付与するため、使用により、一旦湿潤した場合にも、短時間で速やかに乾燥しやすくなるとの知見を得たのである。
【００１５】
又、本発明者は、この凹凸が使用者の皮膚と布地との接触面積を小さくするため、一層ベタツキ感を抑え、しかも凸部が使用者に対してマッサージ効果も与えるといった知見も得たのである。
【００１６】
更に、本発明者は、この機能性布地についてこれを単に足拭きマットに利用するだけでなく、その他、日用品、寝装品並びにインテリア繊維製品等に応用することにより、既知の布地では得られなかった特殊な機能を発現することができるとの知見を得たのである。
【００１７】
本発明は、前記知見に基づき完成されたものであり、通気性や透湿性に優れ、汗の吸収が極めて良好でベタツキ等の不快感を抑え、さらっとして使用感を向上させてなる機能性布地を提供することを目的とする。
【００１８】
また、本発明は、この機能性布地の特性を具体的な商品に生かすべく、この機能性布地から形成されてなる足拭きマット、日用品、寝装品並びにインテリア繊維製品を提供することを目的とする。
【課題を解決するための手段】
【００１９】
本発明に係る機能性布地は、前記目的を達成するために、複数の帯状の布基材における長さ方向の縁部を縫着して連結することにより布状に形成されてなる布地であって、一の帯状の布基材における縁部と他の帯状の布基材における縁部とが対峙するように重ね、この重ね合わせた縁部に帯状の被覆布を被せてこれらを縫着することにより前記布地表面に所定間隔で突出部が形成されていることを特徴とするものである。
【００２０】
本発明の機能性布地において、各帯状の布基材及び各帯状の被覆布としては、公知の天然繊維及び／又は人造繊維からなる布体或いは高分子材料からなるフィルムないしシートを適宜選択して用いることができる。
【００２１】
前記天然繊維及び／又は人造繊維から成る布体としては、一般的には、編み物、レース、タオル（地）、不織布及び織布、合成皮革、人工毛皮、タオル地、毛布又はキルト等を挙げることができる。
【００２２】
又、前記天然繊維としては、例えば綿花、カポック、亜麻、ラミー、大麻、黄麻、しゅろ、マニラ麻、サイザル麻、コイヤー・ファイバー等の植物繊維、家蚕絹、柞蚕絹、羊毛（緬羊）、カシミア毛、ラクダ毛、アルパカ毛、モヘヤー、兎毛等の動物繊維が挙げられる。
【００２３】
更に、前記人造繊維としては、例えば人絹糸、スフ、ビスコース、ベンベルグ等の再生繊維、又はポリアミド系繊維（ナイロンなど）、ポリエステル系繊維（テトロン、テリレン、デークロンなど）、ポリアクリル系繊維（オーロン、エクスラン、ボンネル、カシミロン、カネカロンなど）、ポリビニール・アルコール系繊維（ビニロン）、ポリアルキレンパラオキシベンゾエート系繊維（ベンゾエート）、ポリウレタン系繊維（ポリウレタン）［スパンテックス］、ポリ塩化ビニリデン系繊維（ビニリデン）、ポリ塩化ビニル系繊維（ポリ塩化ビニル）、ポリアクリロニトリル系繊維、ポリエチレン系繊維（ポリエチレン）、ポリプロピレン系繊維（ポリプロピレン）、ポリクラール、ポリプロピレン系（パイレン）等の合成繊維、或いは酢酸人造繊維などのように天然物質と合成物質とを共重合して製造した半合成繊維等が挙げられる。
【００２４】
一方、前記高分子材料からなるフィルムないしシートとしては、ポリウレタン、ポリエチレン、エチレン−酢酸ビニル共重合体、ポリ塩化ビニル、ポリアミド、ポリエステル、ポリアセタール、ポリサルフォン、ポリフェニレンオキサイド、ポリブタジエン、ポリプロピレン、セロファン、ポリクロロプレン、ポリアミノ酸、ニトリルゴム、ブチルゴム及びシリコーンゴムから選ばれた少なくとも１種以上の高分子材料をフィルム状ないしシート状に形成したものを挙げることができる。
【００２５】
本発明において、「帯状」とは、一般的に幅方向に対して長さ方向が長い長方形の状態のもののことをいうが、本発明においては、このような長方形の帯状体のものに限定されるものではなく、長さ方向の辺が曲線を描いていたり、波形やギザギザ状のものの他、長さ方向の辺の形状は特に限定されるものではない。
【００２６】
即ち、本発明において、「帯状」とは、縫着して連結する辺が幅方向に対して客観的に長いと認識できるもの全てをいうのであり、その長さと幅としては、最終的に商品となる機能性布地に求められるサイズや通気性更にベタツキを抑える等の要求に応じて適宜決定されるものであることから特に限定されるものではないが、一般的に幅については、１０〜６０ｍｍ程度が好ましく、更に１５〜５０ｍｍ程度が好ましく、特に２０〜４５ｍｍ程度が一層好ましい。
【００２７】
帯状の布基材の幅を１０ｍｍ未満とすると、狭すぎて所望の通気性が得られない上、縫着作業が頓雑となるため好ましくなく、一方、帯状の布基材の幅が６０ｍｍを超える場合にあっても布地表面に十分な凹凸を得ることができないため所望の通気性が得られず、ベタツキ感等が生ずるため、いずれも好ましくない。
【００２８】
そして、本発明の機能性布地は、このような帯状の布基材を縫着して連結する際に、一の帯状の布基材における縁部と他の帯状の布基材における縁部とが対峙するように重ね、この重ね合わせた縁部に帯状の被覆布を被せてこれらを縫着することにより前記布地表面に所定間隔で突出部が形成されている点に最も大きな特徴を有する。
【００２９】
即ち、本発明においては、このように構成することにより、布地表面に突出部からなる凸部が、又、それ以外の部位に凹部がそれぞれ形成されることとなり、当該布地には良好な通気性が付与され、例えば足拭きマット等として使用して湿潤した場合にも、短時間で速やかに乾燥しやすくなるのである。
【００３０】
又、この凹凸が、例えば使用者の足と布地表面との接触面積を小さくするため、一層ベタツキ感を抑え、しかも凸部が使用者に対してマッサージ効果も与えるので使用感が極めて良好になるのである。
【００３１】
なお、本発明において「突出部」とは、布地表面に対して垂直方向に突出したものに限られるものではなく、突出部が折れ曲がって布地表面とほぼ平行に盛り上がって並んだ状態のものも含むのであり、結局、突出部と布地表面とが凹凸を形成している状態のことをいうのである。
【００３２】
本発明において、突出部（凸部）の長さとしては、最終的に商品となる機能性布地に求められるサイズや通気性更にベタツキを抑える等、当該機能性布地に要求される機能に応じて適宜決定されるものであるから特に限定されるものではないが、一般的には、３〜２５ｍｍ程度が好ましく、更に５〜２０ｍｍ程度が好ましく、特に７．５〜１５ｍｍ程度とするのが一層好ましい。
【００３３】
本発明において、突出部（凸部）の長さを３ｍｍ未満とすると、短すぎて（低すぎて）所望の通気性が得られなかったり、マッサージ効果が乏しいため好ましくなく、一方、突出部（凸部）の長さが２５ｍｍを超えると、長すぎて、当該凸部と皮膚表面との接触面積が大きくなり、ベタツキ感が生ずるためいずれも好ましくない。
【００３４】
そして、本発明の機能性布地においては、互いに隣接する突出部と突出部との間隔（凹部）が、各突出部（凸部）の長さより、１〜３０ｍｍ長く形成されているものが好ましい。
【００３５】
この理由としては、特定の縫着手段により、本発明の機能性布地には縫着部毎に突出部（凸部）が形成されているが、当該凸部自体の強度は比較的低く、例えば足拭きマットとして使用すれば、使用者の体重により当該凸部は簡単に折れ曲がることになる。
【００３６】
この際、突出部（凸部）の長さが、互いに隣接する突出部と突出部との間隔（凹部）より長いと、折れ曲がった凸部が凹部を覆うことになり、通気性を喪失することになる。
【００３７】
従って、本発明の機能性布地においては、凹部の間隔が凸部の長さより、１〜３０ｍｍ程度長くなるように形成して、折れ曲がった凸部が凹部を完全に覆うことを防止することが好ましいのであり、更に２〜２０ｍｍ程度が好ましく、特に３〜１５ｍｍ程度が一層好ましい。
【００３８】
ところで、本発明の機能性布地においては、重ね合わせた縁部に帯状の被覆布を被せてこれらを縫着することにより前記布地表面に所定間隔で突出部が形成されているが、このように構成すると、縫着部、つまり突出部のほつれが防止される上、縫着部（突出部）の美観が向上するのであり、しかも縫着部（突出部）が布地表面に立体的な縞模様を描くことができる結果、意匠的な効果も生じるのである。
【００３９】
ところで、本発明の機能性布地においてその突出部内、つまり重ね合わせた縁部と当該縁部を覆う帯状の被覆布との間には、マンガニン線又はニクロム線などの電熱線又は炭素繊維を装着したり、或いは機能性付与剤が充填されているものが望ましい。
【００４０】
本発明においては、このように構成することにより、マンガニン線又はニクロム線などの電熱線や炭素繊維に通電して発熱させ、これによって、冬期に電気マットや電気シーツ或いは電気毛布等として利用し、快適に過ごすようにしたり、又は速乾性を更に向上させたり、各種機能性付与剤を充填したりして、該機能性付与剤の種類に応じた機能を付与し、付加価値を向上させても良いのである。
【００４１】
本発明において、好適に用いられる機能性付与剤としては、例えば、脱臭作用、消臭作用、吸水（湿）作用、芳香作用、遠赤外線放射作用、マイナスイオン発生作用等の種々の作用（機能）を発現するもののことをいい、又、これらの１種或いは２種以上の薬剤を混合したものでも良いのである。
【００４２】
この具体的な機能性付与剤の例としては、まず、室内の水分、ホルムアルデヒドやアルキルベンゼン等のシックハウスの原因となる有害物質や生活臭の原因となる物質の吸着作用を有する、例えばシリカゲル、ゼオライト、パーライト、バーミキュライト、アルミナ、活性炭、活性白土等を挙げることができる。
【００４３】
又、本発明においては、植物抽出液等の化学的吸着作用や生活臭を分解して消臭効果を発現する物質を適宜添加してもよく、又、必要に応じて、例えば橙皮油、レモン油、ベルガモット油、ういきょう油、松葉油、ハッカ油、テレビン油、樟脳油等の如き柑橘類の精油、リモネン等の如きテルペン類、カラシ、わさび等又はこれらに含まれる辛味成分（カプサイシンや安息香酸デナトニウム等）、その他、木酢油、天然ゴム、ケロシン、カプリンアルデヒド、カプリルアルデヒド、シラトール、酢酸又はタンニン等を挙げることができる。
【００４４】
芳香作用を有する機能性付与剤としては、既知の芳香剤を適宜選択して用いることができる。
【００４５】
マイナスイオン発生作用を有する機能性付与剤としては、空気放電による電離作用によってマイナスイオンを発生させたり、天然放射線による放射線の空中飛程での空気のイオン化によってマイナスイオンを発生させたりするマイナスイオン発生作用を挙げることができるのであり、このような作用によりマイナスイオンを好適に発生するマイナスイオン発生作用の好ましい例としてはトルマリンやレアアース鉱石等を挙げることができる。
【００４６】
遠赤外線放射作用を有する機能性付与剤としては、遠赤外線領域近辺の波長範囲を有する電波を好適に放射する機能を有するものであれば特に限定されるものではないが、中でも遠赤外線を放射する非金属の無機質固体（遠赤外線放射セラミック）が好ましく、具体的には、金属の酸化物、炭化物、窒化物及び炭酸塩から選ばれた少なくとも１種以上を適宜選択して用いることができる。
【００４７】
この金属としては、Ａｌ、Ｂｅ、Ｖ、Ｆｅ、Ｙ、Ｃｏ、Ｃｕ、Ｎｉ、Ｓｉ、Ｓｎ、Ｔｉ、Ｃｒ、Ｃｅ、Ｚｒ、Ｃａ、Ｔａ又はＮｂ等が挙げられる。
【００４８】
本発明に係る機能性布地は、足拭きマットだけに利用されるものではなく、この機能性布地を素材としては、例えば足拭きマット、日用品、寝装品並びにインテリア繊維製品等の繊維製品（二次製品或いは三次製品）を製造し得るものであり、この機能性布地の発現する特性、機能を向上させてを具体的な商品に生かすことができるのである。
以下、このような本発明の機能性布地を素材として形成され、この特性を利用した繊維製品について具体的に説明する。
【００４９】
日用品としては、例えば、子供服又は乳児服等の外衣類、セーター類、ワイシャツ又はブラウス類等の中衣類、ランジェリー、ファンデーション又は肌着類等の下着類、ガウン、パジャマ、ネグリジェ又は寝巻きや腹巻き等の寝衣類、羽織、長襦袢、帯又は和装裏地等の和装品等の衣料、マフラー、ショール、ネクタイ又は帽子等の服飾用品、その他スリッパ又は靴等の履物における内底（足裏が触れる部分）なども挙げることができる。
【００５０】
前記寝装品としては、例えば布団側地、座布団、御包、マット、タオルケット、シーツ又はカバー類等を挙げることができる。
【００５１】
インテリア製品としては、例えば、カーテン、カーペット、椅子張り、テーブルカバー、壁紙、テーブルクロス等を挙げることができる。
【発明の効果】
【００５２】
本発明に係る機能性布地においては、前記構成を有し、複数の帯状の布基材を特定の縫着手段を用いて連結し、この縫着部を布地表面から突出させることによって当該布地表面に所定間隔で突出部が形成される結果、布地表面に凹凸を形成されることになり、この凹凸が当該布地に通気性や透湿性を付与するため、使用により、一旦湿潤した場合にも、短時間で速やかに乾燥し易くなるなどの効果を有するのである。
【００５３】
又、本発明に係る機能性布地においては、その表面の凹凸が使用者の皮膚と布地との接触面積を小さくするため、一層ベタツキ感を抑え、さらっとした使用感を向上させるのであり、しかもこの機能性布地を用いて寝装品や足拭きマットに用いると、その凸部が就寝中や足を拭く際に使用者に対してマッサージ効果も与えるなどの効果も奏するのである。  
【発明を実施するための最良の形態】
【００５４】
以下、本発明の機能性布地の実施例を説明するが、本発明はこの実施例に限定されるものではない。
【００５５】
図１は本発明に係る機能性布地の実施例を示す平面図であり、図２（ａ）はその断面図であり、図２（ｂ）はその斜視図であり、この機能性布地１は、複数の帯状の布基材２における長さ方向の縁部を縫着して連結することにより一枚布（シート状）に形成されてなる布地であり、当該機能性布地１を形成する布基材２としては、公知の天然繊維及び／又は人造繊維からなる布体或いは高分子材料からなるフィルムないしシートを適宜選択して用いることができる。
【００５６】
ところで、図３に示すように、前記シート状機能性布地１は、前記図１の実施例（シート状の機能性布地）に代えて、枕カバー等として利用し得るように筒状に形成しても良いのである。
【００５７】
本発明に係る機能性布地１を製造するにあたり、図４に示すように、複数の帯状の各布基材（幅２５ｍｍ、長さ６５ｃｍ）２と複数の帯状の各被覆布（幅１５ｍｍ、長さ６５ｃｍ）３とからなり、図５に示すように、この各被覆布３の両側縁部３ａ、３ｂを内側に折り返してアイロン５で加熱、加圧して折り返し状態を維持させ、次いで、図６に示すように、互いに隣接する前記布基材２、２における縁部２ａ、２ａが対峙するように重ね、この重ね合わせた縁部２ａ、２ａに前記各被覆布３を中央で折り返し被せてこれらをミシン６で縫着すると、図７及び図８に示すように、前記布地表面に所定間隔で突出部（長さ６．５ｍｍ）４が形成される。
【００５８】
そして、図７及び図８に示すように、このようにして形成された突出部４は布製であるから、容易に折れ曲がるが、布地表面が平坦とならず所定間隔で凹凸（凸部の幅６．５ｍｍ、凹部の幅１０ｍｍ）が形成される。
【００５９】
このように、本発明に係る機能性布地１においてはその表面に凹凸が形成されている結果、布地表面に立体的な縞模様を形成することができるだけでなく、当該機能性布地１には良好な通気性が付与され、図９に示すように、例えば足拭きマット（縦６５ｃｍ、横４５ｃｍ）７として使用して湿潤した場合にも、短時間で速やかに乾燥しやすくなる上、この凹凸が使用者の皮膚と機能性布地１との接触面積を小さくするため、一層ベタツキ感を抑えて使用感を良好にするのであり、しかもこの凸部（突出部４）が使用者に対して効果的にマッサージ効果を付与することが認められるのであり、又、スリッパ１０における内底（足裏が触れる部分）に機能性布地１を張設すると、このスリッパ１０を使用した場合、足に効果的なマッサージ効果を得ることができるのである。
【００６０】
又、本発明に係る機能性布地１においては、図９に示す足拭きマット７に代えて、図１０に示すように、例えば枕カバー８として用いたり、或いは図１１に示すように、例えば枕カバー８として用いても良く、このように構成すると、通気性や透湿性が良好で、しかも凹凸が効果的にマッサージ効果を発現する結果、良好な快眠効果や安眠効果が得られるのである。
【００６１】
更に、本発明に係る機能性布地１においては、当該機能性布地１を用いて他の日用品、寝装品並びにインテリア繊維製品などの布製品に利用し得るのである。
【００６２】
ところで、図７の拡大図に示すように、本発明に係る機能性布地１においてその突出部４における先端部には僅かな隙間Ｓが生じる。
【００６３】
従って、本発明においては、この隙間Ｓにマンガニン線又はニクロム線などの電熱線又は炭素繊維を装着したり、或いは機能性付与剤を充填して更に布地１の使用感や速乾性を向上させたり、各種機能性付与剤を充填したりして、該機能性付与剤の種類に応じた機能を付与し、付加価値を向上させても良いのである。
【図面の簡単な説明】
【００６４】
【図１】図１は、本発明に係る機能性布地の一実施例を示す平面図である。
【図２】図２において、（ａ）図は本発明に係る機能性布地の一実施例を示す断面図である。    図２において、（ｂ）図は本発明に係る機能性布地の一実施例を示す斜視図である。
【図３】図３は、本発明に係る機能性布地の他の実施例を示すを示す斜視図である。
【図４】図４は、本発明の一実施例に係る機能性布地を製造するにあたり、布基材と被覆布とを並べた状態示す平面図である。
【図５】図５は、本発明の一実施例に係る機能性布地を製造するにあたり、被覆布に折り目を形成する状態を示す平面図である。
【図６】図６は、本発明の一実施例に係る機能性布地を製造するにあたり、布地に突出部を形成する状態を示す斜視図である。
【図７】図７は、本発明の一実施例に係る機能性布地を製造するにあたり、布地の突出部が屈曲し易いことを示す側面図である。
【図８】図８は、得られた本発明の一実施例に係る機能性布地を示す簡略斜視図である。
【図９】図９は、本発明の一実施例に係る機能性布地を足拭きマットとしその使用状態を示す説明図の拡大図である。
【図１０】図１０は、本発明の他の実施例に係る機能性布地を枕カバーとしその使用状態を示す説明図の拡大図である。
【図１１】図１１は、本発明の一実施例に係る機能性布地をシーツとしその使用状態を示す説明図の拡大図である。
【符号の説明】
【００６５】
１  機能性布地
２  帯状の布基材
３  被覆布
４  突出部（凸部）
７  足拭きマット
８  枕カバー
９  シーツ
Ｓ  隙間
【図１】
2005068612.tif 000003
【図２】
2005068612.tif 000004
【図３】
2005068612.tif 000005
【図４】
2005068612.tif 000006
【図５】
2005068612.tif 000007
【図６】
2005068612.tif 000008
【図７】
2005068612.tif 000009
【図８】
2005068612.tif 000010
【図９】
2005068612.tif 000011
【図１０】
2005068612.tif 000012
【図１１】
2005068612.tif 000013